(57)【特許請求の範囲】
【請求項１】
第１面に素子と端子が配置された基板と、
前記第１面に対向して設けられ、前記基板を保持する第１の枠体と、
前記基板の端子に接続するコネクタを保持し一端が前記基板の前記第１面の反対側の第２面よりも突出した把持部を有し前記第１の枠体に移動可能に係合された接続部材と、
前記基板の前記第２面を覆う第２の枠体と、を備え、
前記接続部材の前記把持部の一端が前記第２の枠体の外表面よりも突出している、
ことを特徴とする電気接続構造。
【請求項２】
前記接続部材には案内ガイドが形成され、前記第１の枠体には前記接続部材に形成された前記案内ガイドが係合して移動するガイドレールが形成されている、
ことを特徴とする請求項１に記載の電気接続構造。
【請求項３】
前記接続部材は前記コネクタを収容する収容部を有し、前記収容部の一端側に前記端子の進入を受け入れるスリット部が前記端子の進入方向に対して偏心して形成されている、
ことを特徴とする請求項１又は２に記載の電気接続構造。
【請求項４】
前記接続部材が、複数の種類の前記コネクタの後端部から伸びる接続線をそれぞれ異なる方向に案内する案内部を有する複数の種類の接続部材から構成されている、
ことを特徴とする請求項１ないし３のいずれか１項に記載の電気接続構造。
【請求項５】
記録媒体を収容して送り出す給紙手段と、
像保持体とトナー像を形成する現像装置を含んでトナー像が形成される像形成ユニットと、
前記給紙手段の上方で前記像形成ユニットの下方に配置された請求項１ないし４のいずれか１項に記載の電気接続構造と、
前記現像装置の現像によって得られたトナー像を前記記録媒体に転写する被給電体としての転写手段と、
前記転写手段によって前記記録媒体に転写された画像を定着させる定着手段と、を含む、
ことを特徴とする画像形成装置。
【発明の詳細な説明】
【技術分野】
【０００１】
本発明は、電気接続構造及び画像形成装置に関する。
【背景技術】
【０００２】
内部にハーネス挿通部が設けられたプロテクタの外部にアダプタ固定部が設けられ、コネクタをプロテクタに固定するアダプタを取り付けるアダプタ取付構造であって、アダプタ固定部にはアダプタがスライドして嵌合するプロテクタ側ガイドレールが設けられ、アダプタには、プロテクタ側ガイドレールにスライドして嵌合するアダプタ側ガイドレールが設けられ、アダプタ固定部又はアダプタのいずれか一方にスライド方向に沿う案内溝を設け、いずれか他方に該案内溝に挿入してアダプタをアダプタ固定部の正規位置に位置決め案内する位置決めリブを設けたアダプタ取付構造が知られている（特許文献１）。
【先行技術文献】
【特許文献】
【０００３】
【特許文献１】特開２０１３−１４３８３２号公報
【発明の概要】
【発明が解決しようとする課題】
【０００４】
本発明は、作業者から死角になるコネクタ接続作業において、コネクタを基板に容易に、かつ、正規位置に取り付けることができる電気接続構造及び画像形成装置を提供することを目的とする。
【課題を解決するための手段】
【０００５】
前記課題を解決するために、請求項１に記載の電気接続構造は、
第１面に素子と端子が配置された基板と、
前記第１面に対向して設けられ、前記基板を保持する第１の枠体と、
前記基板の端子に接続するコネクタを保持し一端が前記基板の前記第１面の反対側の第２面よりも突出した把持部を有し前記第１の枠体に移動可能に係合された接続部材と、
前記基板の前記第２面を覆う第２の枠体と、を備え、
前記接続部材の前記把持部の一端が前記第２の枠体の外表面よりも突出している、
ことを特徴とする。
【０００７】
請求項２記載の発明は、請求項１に記載の接続装置において、
前記接続部材には案内ガイドが形成され、前記第１の枠体には前記接続部材に形成された前記案内ガイドが係合して移動するガイドレールが形成されている、
ことを特徴とする。
【０００８】
請求項３記載の発明は、請求項１又は２に記載の接続装置において、
前記接続部材は前記コネクタを収容する収容部を有し、前記収容部の一端側に前記端子の進入を受け入れるスリット部が前記端子の進入方向に対して偏心して形成されている、
ことを特徴とする。
【０００９】
請求項４記載の発明は、請求項１ないし３のいずれか１項に記載の電気接続構造において、
前記接続部材が、複数の種類の前記コネクタの後端部から伸びる接続線をそれぞれ異なる方向に案内する案内部を有する複数の種類の接続部材から構成されている、
ことを特徴とする。
【００１０】
前記課題を解決するために、請求項５に記載の画像形成装置は、
記録媒体を収容して送り出す給紙手段と、
像保持体とトナー像を形成する現像装置を含んでトナー像が形成される像形成ユニットと、
前記給紙手段の上方で前記像形成ユニットの下方に配置された請求項１ないし４のいずれか１項に記載の電気接続構造と、
前記現像装置の現像によって得られたトナー像を前記記録媒体に転写する被給電体としての転写手段と、
前記転写手段によって前記記録媒体に転写された画像を定着させる定着手段と、を含む、  ことを特徴とする。
【発明の効果】
【００１１】
請求項１又は２に記載の発明によれば、作業者から死角になるコネクタ接続作業において、コネクタを基板に容易に、かつ、正規位置に取り付けることができる。
請求項３に記載の発明によれば、コネクタの接続部材への取り付け向きが逆向きとなることを防止することができる。
請求項４に記載の発明によれば、近接した高圧ケーブルの接触を抑制し引き出し方向を固定することができる。
請求項５に記載の発明によれば、画像形成装置全体の高さを抑えつつ、作業者から死角になるコネクタ接続作業において、コネクタを基板に容易に、かつ、正規位置に取り付けることができる。
【図面の簡単な説明】
【００１２】
【図１】画像形成装置１の内部構成を示す断面模式図である。
【図２】電源基板１１０、第１の枠体１３０、第２の枠体１２０の分解斜視図である。
【図３】（ａ）は電気接続構造１００の配置側に視点をおいた分解斜視図、（ｂ）は電源基板１１０と第１の枠体１３０が固定された状態を示す分解斜視図である。
【図４】第１の枠体１３０に接続部材１４０が取り付けられた状態を示す斜視図である。
【図５】電気接続構造１００が筐体に取り付けられた状態を筐体Ｆの前面側に位置して示す斜視図である。
【図６】第２の枠体１３０の接続部材１４０が係合される案内レール部を示す拡大斜視図である。
【図７】（ａ）は接続部材１４０のひとつである第１接続部材１４０Ａの斜視図、（ｂ）はそれぞれの矢視図である。
【図８】（ａ）は接続部材１４０のひとつである第３接続部材１４０Ｃの斜視図、（ｂ）はそれぞれの矢視図である。
【図９】第１の枠体１３０の案内レール部１３３に接続部材１４０が移動可能に係合された状態を示す斜視図である。
【図１０】第１の枠体１３０の案内レール部１３３に接続部材１４０が移動可能に係合された状態を示す平面図である。
【図１１】第１の枠体１３０の案内レール部１３３に接続部材１４０が移動可能に係合された状態を示す断面模式図である。
【図１２】（ａ）は電気接続構造１００の移動方向と交差する断面模式図、（ｂ）は移動方向の断面模式図である。
【発明を実施するための形態】
【００１３】
次に図面を参照しながら、以下に実施形態及び具体例を挙げ、本発明を更に詳細に説明するが、本発明はこれらの実施形態及び具体例に限定されるものではない。
また、以下の図面を使用した説明において、図面は模式的なものであり、各寸法の比率等は現実のものとは異なることに留意すべきであり、理解の容易のために説明に必要な部材以外の図示は適宜省略されている。
【００１４】
（１）画像形成装置の全体構成及び動作
図１は本実施形態に係る画像形成装置１の内部構成を示す断面模式図である。
以下、図面を参照しながら、画像形成装置１の全体構成及び動作を説明する。
【００１５】
画像形成装置１は、制御装置１０、給紙装置２０、感光体ユニット３０、現像ユニット４０、転写装置５０、定着装置６０、電気接続構造１００を備えて構成されている。画像形成装置１の上面（Ｚ方向）には、画像が記録された用紙Ｐが排出・収容される排出トレイ１ａが形成されている。
【００１６】
制御装置１０は、画像形成装置１の動作を制御する画像形成装置制御部１１と、印刷処理要求に応じた画像データを準備するコントローラ部１２、露光装置ＬＨの点灯を制御する露光制御部１３等を有する。
【００１７】
コントローラ部１２は、外部の情報送信装置（例えばパーソナルコンピュータ等）から入力された印刷情報を潜像形成用の画像情報に変換して予め設定されたタイミングで、駆動信号を露光装置ＬＨに出力する。本実施形態の露光装置ＬＨは、複数の発光素子（ＬＥＤ：Light  Emitting  Diode）が主走査方向に沿って線状に配列されたＬＥＤヘッドにより構成されている。
【００１８】
画像形成装置１の底部には、給紙装置２０が設けられている。給紙装置２０は、用紙積載板２１を備え、用紙積載板２１の上面には多数の記録媒体としての用紙Ｐが積載される。用紙積載板２１に積載され、規制板（不図示）で幅方向位置が決められた用紙Ｐは、上側から１枚ずつ用紙引き出し部２２により横方向（Ｘ方向）に引き出された後、レジストローラ対２３のニップ部まで搬送される。
給紙装置２０の上方には、第２給紙装置２０Ａが設けられている。第２給紙装置２０Ａは、用紙搬送路２７を介して、用紙引き出し部２５により引き出された用紙Ｐをレジストローラ対２３のニップ部まで搬送する。
【００１９】
感光体ユニット３０は、給紙装置２０の上方（Ｚ方向）に、それぞれが並列して設けられ、回転駆動する像保持体としての感光体ドラム３１を備えている。感光体ドラム３１の回転方向にそって、帯電ローラ３２、露光装置ＬＨ、現像ユニット４０、一次転写ローラ５２、クリーニングブレード３４が配置されている。帯電ローラ３２には、帯電ローラ３２の表面をクリーニングするクリーニングローラ３３が対向、接触して配置されている。
【００２０】
現像ユニット４０は、内部に現像剤が収容される現像ハウジング４１を有する。現像ハウジング４１内には、感光体ドラム３１に対向して配置された現像ローラ４２と、この現像ローラ４２の背面側斜め下方には現像剤を現像ローラ４２側へ撹拌搬送する一対のオーガ４４、４５が配設されている。現像ローラ４２には、現像剤の層厚を規制する層規制部材４６が近接配置されている。
現像ユニット４０各々は、現像ハウジング４１に収容される現像剤を除いて同様に構成され、それぞれがイエロー（Ｙ）、マゼンタ（Ｍ）、シアン（Ｃ）、黒（Ｋ）のトナー像を形成する。
【００２１】
回転する感光体ドラム３１の表面は、帯電ローラ３２により帯電され、露光装置ＬＨから出射する潜像形成光により静電潜像が形成される。感光体ドラム３１上に形成された静電潜像は現像ローラ４２によりトナー像として現像される。
【００２２】
転写装置５０は、各感光体ユニット３０の感光体ドラム３１にて形成された各色トナー像が多重転写される中間転写ベルト５１、各感光体ユニット３０にて形成された各色トナー像を中間転写ベルト５１に順次転写（一次転写）する一次転写ローラ５２、中間転写ベルト５１上に重畳して転写された各色トナー像を用紙Ｐに一括転写（二次転写）する二次転写ローラ５３から構成されている。
【００２３】
電気接続構造１００は、第２給紙装置２０Ａの上方（Ｚ方向）で感光体ユニット３０、現像ユニット４０の下方（−Ｚ方向）に配置され、帯電ローラ３２、現像ローラ４２、一次転写ローラ５２、二次転写ローラ５３等に電圧を印加する。
【００２４】
各感光体ユニット３０の感光体ドラム３１に形成された各色トナー像は、画像形成装置制御部１１により制御される電気接続構造１００から所定の転写電圧が印加された被給電体の一例としての一次転写ローラ５２により中間転写ベルト５１上に順次静電転写（一次転写）され、各色トナーが重畳された重畳トナー像が形成される。
【００２５】
中間転写ベルト５１上の重畳トナー像は、中間転写ベルト５１の移動に伴って二次転写ローラ５３が配置された領域（二次転写部Ｔ）に搬送される。重畳トナー像が二次転写部Ｔに搬送されると、そのタイミングに合わせて給紙装置２０から用紙Ｐが二次転写部Ｔに供給される。そして、被給電体の一例としての二次転写ローラ５３には、画像形成装置制御部１１により制御される電気接続構造１００から所定の転写電圧が印加され、レジストローラ対２３から送り出され、搬送ガイドにより案内された用紙Ｐに中間転写ベルト５１上の多重トナー像が一括転写される。
【００２６】
感光体ドラム３１表面の残留トナーは、クリーニングブレード３４により除去され、廃現像剤収容部に回収される。感光体ドラム３１の表面は、帯電ローラ３２により再帯電される。尚、クリーニングブレード３４で除去しきれず帯電ローラ３２に付着した残留物は、帯電ローラ３２に接触して回転するクリーニングローラ３３表面に捕捉され、蓄積される。
【００２７】
定着装置６０は、加熱モジュール６１と加圧モジュール６２を有し、加熱モジュール６１と加圧モジュール６２の圧接領域によって定着ニップ部Ｎ（定着領域）が形成される。
【００２８】
転写装置５０においてトナー像が転写された用紙Ｐは、トナー像が未定着の状態で搬送ガイドを経由して定着装置６０に搬送される。定着装置６０に搬送された用紙Ｐは、一対の加熱モジュール６１と加圧モジュール６２により、圧着と加熱の作用でトナー像が定着される。
定着トナー像が形成された用紙Ｐは、搬送ローラ対６８を介して排出ローラ対６９から画像形成装置１上面の排出トレイ１ａに排出される。
【００２９】
（２）電気接続構造
（２．１）全体構成
図２は電源基板１１０、第１の枠体１３０、第２の枠体１２０の分解斜視図、図３は第２の枠体１３０に接続部材１４０が取り付けられた状態を示す斜視図、図４は電気接続構造１００が筐体Ｆに取り付けられた状態を示す斜視図、図５は電気接続構造１００が筐体Ｆに取り付けられた状態を筐体Ｆの前面側に位置して示す斜視図である。
以下、図面を参照しながら本実施形態に係る電気接続構造１００の全体構成について説明する。
【００３０】
図２に示すように、電源基板１１０は第１面としての下面１１０ａに、感光体ユニット３０、現像ユニット４０、一次転写ローラ５２、二次転写ローラ５３に給電される電圧を発生させる変圧器（トランス）や抵抗、蓄電器（コンデンサ）等の素子及び出力端子が配置されている。
電源基板１１０の第２面としての上面１１０ｂは、沿面放電を防止するために、電源基板１１０の上面１１０ｂ側に比べて、平面視で形状が大きくなるように絶縁体により矩形状に形成された第２の枠体１２０で保持されている。
電源基板１１０の下面１１０ａは、第２給紙装置２０Ａ（図１参照）の用紙搬送路２７の上面側を形成する第１の枠体１３０で支持されている。
【００３１】
図３に示すように、第１の枠体１３０は筐体Ｆの底面側（−Ｚ方向）に配置されている。第２の枠体１３０の一端側（−Ｙ方向）には電源基板１１０の出力端子（図１０（ｂ）参照）と被給電体としての一次転写ローラ５２、二次転写ローラ５３を接続するコネクタ１５０を保持する接続部材１４０が係合されている。
接続部材１４０は、コネクタ１５０の種類（１５０Ａ、１５０Ｂ、１５０Ｃ）に応じて、コネクタ保持部の形状を異にする第１接続部材１４０Ａ、第２接続部材１４０Ｂ、第３接続部材１４０Ｃからなるが、以降の説明においては、必要に応じて、第１接続部材１４０Ａ、第２接続部材１４０Ｂ、第３接続部材１４０Ｃのいずれかについて接続部材１４０として説明する。
【００３２】
第１の枠体１３０の上面１３０ａ側は、用紙搬送路２７の断面形状に応じた凹部１３１を有し（図３参照）、第１の枠体１２０に上面１１０ｂ側を支持された電源基板１１０の下面１１０ａに配置された素子が収容される（図４参照）。
図４に示すように、筐体Ｆに取り付けられた電気接続構造１００は、上方（Ｚ方向）が電源基板１１０の上面１１０ｂよりも平面視で形状が大きく形成された第２の枠体１２０で覆われ、上方（Ｚ方向）に配置される感光体ユニット３０、現像ユニット４０と電源基板１１０とを仕切るように遮蔽している。
【００３３】
そして、画像形成装置１の前面側（Ｙ方向）であり、電源基板１１０の出力端子と反対側に位置した場合、出力端子及びコネクタ１５０は視認不可の状態となる（図５参照）。
【００３４】
（２．２）接続構造
図６は第１の枠体１３０の接続部材１４０が係合される案内レール部を示す拡大斜視図、図７（ａ）は接続部材１４０のひとつである第１接続部材１４０Ａの斜視図、（ｂ）はそれぞれの矢視図、図８（ａ）は接続部材１４０のひとつである第３接続部材１４０Ｃの斜視図、（ｂ）はそれぞれの矢視図である。
以下、図面を参照しながら本実施形態に係る電気接続構造１００の接続構造について具体的に説明する。
【００３５】
図６に示すように、第１の枠体１３０の上面１３０ａには、スリット状の案内レール部１３２、１３３、１３４が形成されている。
案内レール部１３２は、断面視アングル形状の案内溝１３２ａ、１３２ｂが画像形成装置１の奥行き方向（Ｙ方向）に伸びて形成され、後述する第１接続部材１４０Ａの案内ガイド１４６Ａが移動可能に係合される。
案内レール部１３３、１３４も同様に、それぞれ第２接続部材１４０Ｂ、第３接続部材１４０Ｃの案内ガイド１４６Ｂ、１４６Ｃに対応して、断面視アングル形状の案内溝１３３ａ、１３３ｂ、１３４ａ、１３４ａが画像形成装置１の奥行き方向（Ｙ方向）に伸びて形成されている。
【００３６】
図７（ａ）に示すように、第１接続部材１４０Ａは、底面１４１Ａから立設されてコネクタ１５０Ａを収容する収容部１４２Ａを有し、収容部１４２Ａには、挿通されるコネクタ１５０Ａを通過させて固定する弾性変形可能な固定部１４３Ａが設けられている。
図７（ｂ）Ａ矢視に示すように、収容部１４２Ａの一端側には、電源基板１１０に設けられた出力端子の進入を受け入れるスリット部１４４Ａが出力端子の進入方向に対して偏心して形成されている（図中ｅ参照）。
【００３７】
図７（ｂ）Ｂ、Ｃ矢視に示すように、第１接続部材１４０Ａの他端側には、コネクタ１５０Ａの後端部から伸びる接続線としてのケーブル１５１Ａを後方（−Ｙ方向）へ案内する案内部１４５Ａが形成されている。
【００３８】
図７（ｂ）Ａ、Ｃ、Ｅ矢視に示すように、第１接続部材１４０Ａの、底面１４１Ａには第１の枠体１３０の案内レール部１３２の案内溝１３２ａ、１３２ｂに係合する案内ガイド１４６Ａが形成されている。
図７（ｂ）Ｄ矢視に示すように、第１接続部材１４０Ａの収容部１４２Ａの後端側（−Ｙ方向）には、収容部１４２Ａよりも上方（Ｚ方向）に突出した高さを有する把持部１４７Ａが形成されている（図中ｈ参照）。
【００３９】
図８（ａ）、（ｂ）には、他のコネクタ１５０Ｃに対応して設けられた第３接続部材１４０Ｃの構成を示すが、案内部１４５Ｃの位置を除いて第１接続部材１４０Ａと同様に構成されている。
第３接続部材１４０Ｃにおいては、図８（ｂ）Ｂ、Ｃ矢視に示すように、案内部１４５Ｃが第１接続部材１４０Ａとは異なる方向に形成されている。
【００４０】
（３）電気接続構造の作用
図９は第１の枠体１３０の案内レール部１３３に接続部材１４０が移動可能に係合された状態を示す斜視図、図１０は第１の枠体１３０の案内レール部１３３に接続部材１４０が移動可能に係合された状態を示す平面図、図１１は第１の枠体１３０の案内レール部１３３に接続部材１４０が移動可能に係合された状態を示す断面模式図、図１２（ａ）は本実施形態に係る電気接続構造１００の移動方向と交差する断面模式図、（ｂ）は移動方向の断面模式図である。
【００４１】
本実施形態に係る電気接続構造１００は、下面１１０ａに素子が配置された電源基板１１０の上面１１０ｂを支持して上面１１０ｂよりも平面視で形状が大きく形成された第２の枠体１２０と、電源基板１１０の下面１１０ａを保持する第１の枠体１３０と、電源基板１１０の出力端子と被給電体としての一次転写ローラ５２、二次転写ローラ５３を接続するコネクタ１５０を保持する接続部材１４０から構成されている。
接続部材１４０は第１の枠体１３０に移動可能に係合され、接続部材１４０を移動させるときに把持される把持部１４７が第１の枠体１３０の上面から突出して形成されている。
【００４２】
図１０に示すように、それぞれの接続部材１４０Ａ、１４０Ｂ、１４０Ｃは、コネクタ１５０Ａ、１５０Ｂ、１５０Ｃが電源基板１１０の出力端子に接続されたときに、それぞれの把持部１４７Ａ、１４７Ｂ、１４７Ｃが移動方向に対して同一位置になるように規制されている（図中Ｙ１−Ｙ１）。
また、第２の枠体１２０の上面には、それぞれの接続部材１４０Ａ、１４０Ｂ、１４０Ｃの位置に対応して移動方向を明示した矢印が設けられている。
【００４３】
そのために、画像形成装置１の前面側（Ｙ方向）であり、電源基板１１０の出力端子と反対側に位置した場合、出力端子及びコネクタ１５０は視認不可の状態となるが、第２の枠体１２０の上面から突出して形成されている接続部材１４０の把持部１４７が視認可能となり、組み立て作業を円滑に行い、確実に電源基板１１０とコネクタ１５０とを電気的に接続することができる。また、コネクタ接続作業が正確に完了したか否か確認することができる。
【００４４】
図１１に示すように、接続部材１４０を移動させてコネクタ１５０が電源基板１１０の出力端子に接続されたときに、接続部材１４０の底面１４１の縁部１４１ａが第２の枠体１３０の上面に形成された凸部１３０ａと接触して移動が規制され（図１１中  矢印参照）、コネクタ１５０の電源基板１１０の素子側への潜り込みを防止することができる。
【００４５】
接続部材１４０のコネクタ１５０を収容する収容部１４２の一端側には、電源基板１１０に設けられた出力端子の進入を受け入れるスリット部１４４が出力端子の進入方向に対して偏心して形成されている。
そのために、収容部１４２へのコネクタ１５０の取り付け向きが逆向きとなることを防止することができる。
【００４６】
接続部材１４０の他端側には、コネクタ１５０の後端部から伸びる接続線としてのケーブル１５１を後方（−Ｙ方向）へ案内する案内部１４５が形成されている。案内部１４５はケーブル１５１をそれぞれ異なる方向に案内するように、第１接続部材１４０Ａと第３接続部材１４０Ｃとはそれぞれ異なる位置に形成されている。
そのために、高圧電圧が給電される近接したケーブル同士の接触が抑制され、引き出し方向を固定することができる。
【００４７】
本実施形態に係る画像形成装置１は、底部に給紙装置２０が設けられ、給紙装置２０の上方に、第２給紙装置２０Ａが設けられている。
そして、第２給紙装置２０Ａの上方には、画像形成装置１に対して下面に素子が配置された電源基板１１０を有する電気接続構造１００が配置され、電気接続構造１００の上方に感光体ユニット３０、現像ユニット４０が配置されている。
本実施形態に係る電気接続構造１００によれば、画像形成装置１全体の高さを抑えつつ、作業者から死角になるコネクタ接続作業において、コネクタ１５０を電源基板１１０に容易に、かつ、正規位置に取り付けることができる。
【符号の説明】
【００４８】
１・・・画像形成装置
１０・・・制御装置
２０・・・給紙装置
３０・・・感光体ユニット
４０・・・現像ユニット
５０・・・転写装置
６０・・・定着装置
１００・・・電気接続構造
１１０・・・電源基板
１１０ａ・・・下面
１１０ｂ・・・上面
１２０・・・第２の枠体
１３０・・・第１の枠体
１３１・・・凹部
１３２・・・案内レール部
１３２ａ・・・案内溝 
１４０、１４０Ａ，１４０Ｂ、１４０Ｃ・・・接続部材
１４２、１４２Ａ・・・収容部
１４３Ａ・・・固定部 
１４４、１４４Ａ・・・スリット部 
１４５、１４５Ａ、１４５Ｃ１４５・・・案内部
１４６Ａ、１４６Ｂ・・・案内ガイド 
１４７、１４７Ａ・・・把持部
１５０、１５０Ａ、１５０Ｂ、１５０Ｃ・・・コネクタ 
１５１、１５１Ａ・・・ケーブル
【図１】
0006520230.tif 000002
【図２】
0006520230.tif 000003
【図３】
0006520230.tif 000004
【図４】
0006520230.tif 000005
【図５】
0006520230.tif 000006
【図６】
0006520230.tif 000007
【図７】
0006520230.tif 000008
【図８】
0006520230.tif 000009
【図９】
0006520230.tif 000010
【図１０】
0006520230.tif 000011
【図１１】
0006520230.tif 000012
【図１２】
0006520230.tif 000013